(57)【要約】【課題】  本体のみであっても転倒を防止して簡単確実に保管、運搬等する。【解決手段】  遊技場の島に開閉可能に設けられる本体１の最下部は、機構板２、下側機能部７等を支持するミドル枠１０の最下部のみから成る。ミドル枠１０の最下部は、正面側への折り曲げ部２６を備えているとともに、球通路１２の一部であるバケツ部材２５の下壁が、折り曲げ部２６と面一に位置し、合わせて平坦部２７を構成している。平坦部２７を略水平面に接するように置くと、本体１の重心は、平坦部２７を鉛直方向に投影した空間内に位置する。【選択図】  図４
2004255211.tif 000002
【特許請求の範囲】
【請求項１】
機枠を取り付け可能なパチンコ機本体の外側に、互いに分かれている面一の複数の平坦部が設けられるとともに、これら平坦部を水平面に接するように置いた場合に、面積が最大となるように各平坦部の外側を結んで形成される輪郭内に本体の重心の鉛直方向の投影点が位置するようにし、更に少なくとも１つの平坦部を柱部材の最下部としたことを特徴とする転倒し難い本体から成るパチンコ機。
【請求項２】
少なくとも柱部材の最下部が、高静止摩擦係数面とされていることを特徴とする請求項１に記載の転倒し難い本体から成るパチンコ機。
【請求項３】
柱部材が、収納可能とされていることを特徴とする請求項１又は請求項２に記載の転倒し難い本体から成るパチンコ機。
【請求項４】
パチンコ機本体の重心の鉛直方向の投影点が、面積が最大となるように各平坦部の外側を結んで形成される輪郭の少なくとも前後方向における中央に位置するようにしたことを特徴とする請求項１から請求項３のいずれかに記載の転倒し難い本体から成るパチンコ機。
【発明の詳細な説明】
【技術分野】
【０００１】
本発明は、本体を自立するようにして転倒し難くし、運搬、製造、メンテナンス時における本体の取り回し性を良好として、本体のみの流通を可能としたパチンコ機に関する。
【背景技術】
【０００２】
図１４に示す従来のパチンコ機９１は、メーカーにおいて、本体９２が製造されるとともに、上下左右を覆う長方形状の機枠９３に開閉自在に枢着されて出荷される。出荷に際しては、積載性を増すとともに運搬時の故障を防ぐべく、機枠９３の外面を下にして置き、パチンコ機９１を直立させた状態で、荷台に機枠９３を固定する。パチンコ機９１は、自立している場合、その重心が機枠９３の下にした外面を鉛直方向に投影した空間内に位置している。一方、本体は、制御基板といった各種基板が搭載され、又、球通路が最短経路で巡らされており、外面において様々な凹凸を有する状態となっている。尚、パチンコ機９１は、機枠９３を遊技場の島に固着することにより設置され、この場合、本体９２は、島に対して開閉可能となる。
【発明の開示】
【発明が解決しようとする課題】
【０００３】
以上のような従来のパチンコ機９１では、機枠９３が枢着される前の本体９２について、外面に様々な凹凸があり、重心にも配慮がないため、安定して自立させることができず、転倒し易くなっている。従って、本体９２のみを保管、運搬等する場合に、固定物にしっかり結び付けるといった配慮が必要となり、煩わしく、従って専ら機枠９３とともに保管、運搬等していた。
【０００４】
よって、本発明の課題は、本体のみであっても転倒を防止して簡単確実に保管、運搬等することのできるパチンコ機を提供することにある。
【課題を解決するための手段】
【０００５】
本発明のうち、請求項１に記載の発明は、機枠を取り付け可能なパチンコ機本体の外側に、互いに分かれている面一の複数の平坦部が設けられるとともに、これら平坦部を水平面に接するように置いた場合に、面積が最大となるように各平坦部の外側を結んで形成される輪郭内に本体の重心の鉛直方向の投影点が位置するようにし、更に少なくとも１つの平坦部を柱部材の最下部としたことを特徴とする。
【０００６】
又、請求項２に記載の発明は、少なくとも柱部材の最下部が、高静止摩擦係数面とされていることを特徴とする。
【０００７】
更に、請求項３に記載の発明は、請求項１，請求項２に記載の発明において、柱部材が、収納可能とされていることを特徴とする。
【０００８】
加えて、請求項４に記載の発明は、請求項１から請求項３に記載の発明において、パチンコ機本体の重心の鉛直方向の投影点が、面積が最大となるように各平坦部の外側を結んで形成される輪郭の少なくとも前後方向における中央に位置するようにしたことを特徴とする。
【０００９】
尚「機枠を取り付け可能な本体」にあっては、従来と同様な機枠に対する様々な取り付け構成を有すれば足り、遊技場の島に上記取り付け構成を受ける部材を備えさせる等して機枠を全く取り付けなくとも良い。
【発明の効果】
【００１０】
本発明のうち、請求項１に記載の発明は、機枠を取り付け可能なパチンコ機本体の外側に、互いに分かれている面一の複数の平坦部が設けられるとともに、これら平坦部を水平面に接するように置いた場合に、面積が最大となるように各平坦部の外側を結んで形成される輪郭内に本体の重心の鉛直方向の投影点が位置するようにし、更に少なくとも１つの平坦部を柱部材の最下部としたので、比較的に小さな柱部材を追加するだけで本体７１のみで起立させることができ、簡単に保管、流通又はパチンコ機の取り替え等についてのコストを削減することができる、という効果を奏する。
【００１１】
又、請求項２に記載の発明は、上記の発明において、少なくとも柱部材の最下部が、高静止摩擦係数面とされているため、上記効果に加えて、略水平面との滑りを防止し、更に直立時の安定化を図ることができる、という効果を奏する。
【００１２】
更に、請求項３に記載の発明は、上記発明において、柱部材が、収納可能とされているので、上記効果に加えて、本体の直立が不要である場合に、各柱部材を収納して、各柱部材が邪魔となる事態に対処することができ、又破損も防止することができる、という効果を奏する。
【００１３】
又更に、請求項４に記載の発明は、上記発明において、パチンコ機本体の重心の鉛直方向の投影点が、面積が最大となるように各平坦部の外側を結んで形成される輪郭の少なくとも前後方向における中央に位置するようにしたため、上記発明の効果に加えて、背面側に重心が寄りがちで更に寸法もとれないゆえに最も倒れ易い方向となっている前後方向への転倒を防止することができる、という効果を奏する。
【発明を実施するための最良の形態】
【００１４】
以下、本発明の実施形態につき、図面に基づいて説明する。
【００１５】
［第１実施形態］
図１から図３は、第１実施形態に係るパチンコ機の本体の背面側又は左側面の説明図、図４は本体の分解説明図であって、パチンコ機の本体１は、背面側の機構板２と、正面側の、遊技領域を覆う合成樹脂製の前枠３、その下側の供給皿４を有する合成樹脂製の中扉５、及び更に下側の合成樹脂製である貯留皿６を備えた下側機能部７と、前面に図示しない遊技領域が形成されるとともに、その略中央に設置された表示部の制御を行う表示装置８が組み付けられた遊技盤９と、背面側の一部を覆う合成樹脂製のカバー１６と、これらが搭載された金属製のミドル枠１０とからなる。尚、第１実施形態に係るパチンコ機は、従来と異なり、通常機枠を備えず、本体１のみから成る。
【００１６】
機構板２は、パチンコホール等の遊技場から補給される遊技球を受け入れる合成樹脂製のタンク１１、タンク１１から供給皿４又は貯留皿６に至る球通路１２、球通路１２の途中に設けられた払い出し装置１３、その下側においてそれと電気的に接続された状態で設置された払い出し制御装置１４、その横に配置される主制御装置１５を備えている。払い出し装置１３は、球通路１２内における遊技球のせき止めをするとともに、所定数の遊技球を送り出すためにせき止めの一時的な解除を行う。尚、表示装置８とカバー１６が、タンク１１、払い出し装置１３、主制御装置１５の内側に位置している。
【００１７】
図５から図７にも示すミドル枠１０には、従来と同様の機枠との枢着部２１，２２が片側の上下角に突設されるとともに、前枠枢着部２３や図示しない上下の中扉枢着部も設けられており、前枠３が上側の枢着部２１の下側と前枠枢着部２３とに枢着され、中扉５が中扉枢着部に枢着され、中扉５の下側に下側機能部７が固定されている。
【００１８】
又、ミドル枠１０の最下部には、正面側への折り曲げ部２６が形成されている。更に、最下部の左右方向中心付近であって、貯留皿６の上側背面にあたる部分には、球通路１２の末端としての孔２４が開設されている。加えて、ミドル枠１０の孔２４の背面には、球通路１２の一部である金属製のバケツ部材２５が固定されている。バケツ部材２５の下壁は、前後方向の寸法を、機構板２の前後方向の寸法と同等に形成されるとともに、図６に示すように、折り曲げ部２６と面一とされている。
【００１９】
そして、機構板２が、バケツ部材２５のすぐ上側においてミドル枠１０に係止され、且つ、下側機能部５が、折り曲げ部２６の上側においてミドル枠１０に固定されるので、本体１の最下部は、図７に示すように、ミドル枠１０の最下部である、バケツ部材２５の下壁と折り曲げ部２６とが面一となった、平坦部２７となる。
【００２０】
又、平坦部２７を略水平面の略全体に接するように置いた場合の、本体１の重心を平坦部２７へ略鉛直に投影した投影点Ｇ１は、左右方向は簡単に略中央に設計することができるが、前後方向については、機構板２に各種装置が比較的多く組み込まれることから、背面側に位置する傾向が顕著である。しかし、左右方向において略中央に位置するバケツ部材２５の下壁が、平坦部２７の前後方向の寸法を、機構板２の前後方向の寸法と同等とする程幅広であるため、本体１の重心は、平坦部２７のうち、バケツ部材２５の下壁を鉛直方向に投影した空間内に位置する。尚、本体１の重心は、投影点Ｇ１から本体１の全高の１／３程度上方に位置する。
【００２１】
第１実施形態に係るパチンコ機では、本体１の下側に平坦部２７が設けられるとともに、平坦部２７を床等の略水平面に接するように置いた場合に、本体１の重心が、平坦部２７を鉛直方向に投影した空間内に位置するので、本体１のみで直立することができ、特にメーカーにおいて本体１に関する調整あるいは保管等を行い易い。又、整然と並べ、簡易な固定をするだけで、本体１のみを確実に流通させることができ、従って、遊技場において、本体１の上下の枢着部に対応する枢着部材を島に一旦用意するだけで、本体１のみを取り替えることが実行可能となり、流通又はパチンコ機の取り替えについてのコストが大幅に削減される。
【００２２】
又、厳密には、本体１の重心が、図７に二点鎖線で示すように、平坦部２７の外周を、内部面積が最大となるように結んで描かれる輪郭（仮想平坦部、尚、凹部形状等、同一平坦部の外部も、面積が最大となれば結ぶようにする）を鉛直方向に投影した空間内に位置しても、本体１は転倒することなく自立することができる。従って、例えば本体１の重心が投影点Ｇ２になっても転倒しない。ここで、バケツ部材２５の下壁が、平坦部２７の前後方向の寸法を、機構板２の前後方向の寸法と同等とする凸状部を与えることによって、重心の包含により転倒を免れる空間が大幅に増し、従って重心設計の自由度を高めることができ、各種部材を取り外すことにより重心が変動しても、直立を保つことができるし、多数の部材が搭載される機構板２と同等の前後方向寸法を平坦部２７に与えることができ、安定性の向上に寄与している。尚、本体１の重心が投影点Ｇ３に移ったとき、本体１は背面側に倒れ、投影点Ｇ４となったときは、前方に倒れる。
【００２３】
［第２実施形態］
第２実施形態に係るパチンコ機は、第１実施形態に係るパチンコ機に対して、バケツ部材と機構板の下部のみが相違する。以下、同様な部分には同符号を付して、相違点を中心に説明する。
【００２４】
図８から図１０に示す第２実施形態に係るパチンコ機の本体５１（図において前枠３、中扉５、下側機能部７、表示装置８、遊技盤９、払い出し制御装置１４、主制御装置１５、枢着部２１，２２を除く）のうち、機構板５２は、下部を、球通路１２のうち、主に供給皿４から貯留皿６までの部分を内包した下側通路部材５３とされている。下側通路部材５３の最下部は、図１０に示すように、内包する球通路１２に沿うように、前後方向が機構板５２の厚み程度と幅広に、又左右方向は略２／３程度を占める状態で形成された平坦な下壁体５４とされている。一方、ミドル枠６０は、バケツ部材６１の下壁が最下部に含まれないようにされ、最下部は平坦な折り曲げ部２６のみとなっている。
【００２５】
そして、機構板５２をミドル枠６０に取り付けた場合には、下壁体５４と折り曲げ部２６とが、上下方向を合致させ、２部分に分かれている面一の平坦部６２，６２を構成する。又、平坦部６２を略水平面に接するように置いた場合においての本体５１の重心の平坦部６２への投影点Ｇ５は、機構板５２の下壁体５４に含まれる（図１０）。尚、本体５１の重心は、投影点Ｇ５から全高の１／３程度上方に位置する。
【００２６】
第２実施形態のパチンコ機では、本体５１の下側に平坦部６２，６２が設けられるとともに、平坦部６２，６２を床に接触するよう置いた場合に、本体５１の重心が、平坦部６２，６２の一方を鉛直方向に投影した空間内に位置するので、第１実施形態と同様に、保管、流通又はパチンコ機の取り替え等についてのコストを削減することができるし、平坦部６２，６２が複数部材に亘っているので、本体５１を直立時において安定性に優れたものとすることができる。又、下側通路部材５３の下壁体５４が、機構板５２の最下部に位置するため、球通路１２を利用して平坦部６２の一部である下壁体５４を形成して効率的な構成とすることができる。
【００２７】
又、本体５１の重心が、図１０に二点鎖線で示すように、各平坦部６２の外側を、内側面積が最大となるように互いに及び／又は自身を結んで描かれる輪郭（仮想平坦部）を鉛直方向に投影した空間内（例えば投影点Ｇ６，Ｇ７等）に位置しても、本体１は転倒することなく自立することができ、重心設計の自由度を高め、又特に平坦部６２の前後方向を拡張して、最も倒れ易い方向への転倒を防止することができる。
【００２８】
［第３実施形態］
図１１から図１３に前枠等を除いて示す、第３実施形態に係るパチンコ機の本体７１は、第２実施形態に係るパチンコ機の、最下部が折り曲げ部２６のみのミドル枠６０と、第１実施形態に係るパチンコ機の、最下部に至らない機構板２に、柱部材７３，７３及びそのための孔（図示せず）及び溝７６，７６を付加した機構板７２等から成る。
【００２９】
図１２に拡大して示すように、溝７６は、機構板７２の背面側下部角部に設けられた水平部７７，７７と、各水平部７７を結ぶ垂直部７８と、各水平部７７の端部に設けられる上方への係止部７９から成る。一方、各柱部材７３は、直径４ｍｍ程度の円柱状部８１からレバー７５が分岐した形状とされており、溝７６のうち下の係止部７９にレバー７５を位置させることにより、円柱状部８１が、ミドル枠６０最下部の折り曲げ部２６と面一となった状態で突出するようになっている。尚、各柱部材７３は、上下に移動可能且つ軸を中心に回動可能に設置されており、レバー７５が溝７６を辿れるようになっていて、溝７６の各水平部７７は略円柱状部８１の突出寸法だけ上下に離れている。又、機構板７２と各柱部材７３とには、図示しないスプリングが、各柱部材７３を上方へ付勢すべく介装されている。更に、各柱部材７３の最下部は、下部にゴム７４が固着されることにより、高静止摩擦係数を有する面とされている。
【００３０】
第３実施形態に係るパチンコ機では、図１３に示すように、本体７１の下側を下として置いたときに、略水平面に接触する部分が、折り曲げ部２６と各柱部材７３のゴム７４となる。従って、本体７１の下側に、図１３に二点鎖線で示すような、各ゴム７４と折り曲げ部２６との外方を結んで形成される仮想平坦部８０が設けられる。そして、本体７１の重心の最下部への投影点Ｇ８は、背面側の各柱部材７３を結ぶ線の中央正面側に、即ち仮想平坦部８０内に位置するので、本体７１を、各ゴム７４及び折り曲げ部２６（又は仮想平坦部８０）で支えることができ、よって、比較的に小さな柱部材７３，７３を追加するだけで本体７１のみで起立させることができ、簡単に保管、流通又はパチンコ機の取り替え等についてのコストを削減することができる。尚、仮想平坦部８０の一部としての柱部材７３の最下部は、ゴム７４による高静止摩擦係数面とされているので、略水平面との滑りを防止し、更に直立時の安定化を図ることができる。
【００３１】
又、レバー７５を、回動して進入させた垂直部７８から上の水平部７７にずらし、更に回動して上の係止部７９に至るよう操作して、各柱部材７３を機構板７２内に収納することができ、従って、本体７１の直立が不要である場合に、出没自在である各柱部材７３を没入させて、各柱部材７３が邪魔となる事態に対処することができ、又破損も防止することができる。尚、係止部７９，７９を含む溝７６の形状とスプリングによる付勢とにより、各柱部材７３の使用時及び収納時の双方において、柱部材７３が誤動作してしまう事態を防止している。
【００３２】
尚、本発明は、以上の実施形態に限定されるものではなく、次に一部示すように様々に変更可能である。平坦部は、略方形状に形成することができ、この場合には、本体につき、何れの方向へも等しく転倒を防止し、安定したものとすることができる。又、平坦部の設計若しくは搭載位置の設計等により、本体の重心は、特に前後方向について、平坦部の中央付近に位置させることができ、この場合には、自立時の安定性が更に増す。尚、本体の重心は、安定性のため、左右方向等の方向においても同様に平坦部の中央付近に位置させ、更には平坦部の中心に位置させることが好ましいが、前後方向のみ中央付近としても、本体は特に前後方向の寸法に余裕がないため、安定性確保に効果的である。
【００３３】
更に、平坦部は、４つ以上の部分に分かれていても良いし、３つ以上の部材に設けられても良く、柱部材は１つあるいは３つ以上設けることができる。又更に、平坦部は、最下部にのみ設けられる必要はなく、片側や上側にのみ設けられたり、これらを組み合わせたりすることができ、特に側面に設けられた場合には、遊技領域を覆う正面や基板が搭載される背面を保護しながら、高さを最小限にして自立させることができるし、又組み合わせて設けられた場合には、様々な姿勢にて自立可能とし、更に取り回しを良好にできる。加えて、平坦部は、略水平面に接した場合の上方向への凹部を備えていても良い。又、平坦部の外周は、曲線を含むことができる。一方、上記した全てあるいはその他の平坦部の輪郭を連続的あるいは断続的に辿る、例えば２ｍｍ幅程度の線状部分（リブ）のみを設けて、仮想平坦部を設けることもできる。
【００３４】
又、パチンコ機は、本体のみからなる必要はなく、蝶番等のように、島に取り付けられて開閉しない部分を備えていても良い。同様に、装置の形状若しくは構成や、装置の取り付け先あるいは装置を何れの枠に分類するかは様々に変更することができ、例えば前枠と中扉とを１つの部材としたり、バケツ部材を機構板に含めたり、本体の枢着部を左右にしたり、柱部材を、ゴムのないものとし、又は機構板と固着され若しくは一体形成されたものとしたり、ミドル枠といった他の部材に設けたり、ゴムを柱部材のみならず本体平坦部の一部又は全部に配置したりできる。柱部材を上記のように変更すれば、より簡単且つ低コストに仮想平坦部を設けることができるし、ゴムを大部分に亘って設けた場合には、滑り防止の効果が更に顕著に現れる。又更に、柱部材の出没は、枢着により内側へ倒れ得るものとしたり、本体及び別体の柱部材に、弾性爪及びその係止部やネジ溝等の係合部を設け、起立時は係合させ、島導入後といった場合に取り外すものとしたりできる。
【００３５】
加えて、本体を取り付ける島は、従来の機枠を固着したものであっても良いし、本体は、平坦部を有しても、場合によっては従来の機枠を取り付けて運搬、保管又は島への設置等することもできる。島が従来の機枠を固着したものである場合は、更に、枢着部を導入する初期費用を減ずることができる。同様のことが、本体に機枠を取り付けてから島へ固定する場合にもいえる。又、本体の島への取り付けは、枢着したり蝶番を介したりするものの他、弾性係止片を介したり、弾性係止片を受け入れたり、レールと溝とを摺動するしないを問わずはめ合わせたりするもの等、あらゆる種類を採用することができる。
【００３６】
更に、各種部材の材質は、ミドル枠を合成樹脂製としたり、様々な素材を組み合わせたものとしたりすることができる。又、単なるゴムの代わりに、その他あらゆる樹脂といったように高い静止摩擦係数を有する素材で形成されたもの、靴底や砂ヤスリ、金属ヤスリの如く、あらゆる素材の固定若しくは一体形成又はこれらの組み合わせをすることにより凹凸を付与したもの、あるいはゴムあるいはこれらに液体を封入したもの等を採用し、更に滑り止め効果を向上することができる。そして、平坦部に関する変更例は、仮想平坦部に同様に適用することができるし、平坦部と仮想平坦部は併存して設けることができるし（通常これらの間に仮想平坦部が形成される）、更に本発明は、他のタイプのパチンコ機や他の遊技機に適用できる。
【図面の簡単な説明】
【００３７】
【図１】第１実施形態に係るパチンコ機本体の背面側斜視説明図である。
【図２】パチンコ機本体の背面説明図である。
【図３】パチンコ機本体の左側面説明図である。
【図４】パチンコ機本体の分解斜視説明図である。
【図５】ミドル枠の背面側斜視説明図である。
【図６】ミドル枠の（ａ）背面，（ｂ）左側面の説明図である。
【図７】第１実施形態に係る平坦部の説明図である。
【図８】第２実施形態に係るパチンコ機本体の背面側斜視説明図である。
【図９】パチンコ機本体の分解斜視説明図である。
【図１０】第２実施形態に係る平坦部の説明図である。
【図１１】第３実施形態に係るパチンコ機本体の背面側斜視説明図である。
【図１２】図１１の下部拡大説明図である。
【図１３】第３実施形態に係る仮想平坦部の説明図である。
【図１４】従来のパチンコ機本体を示す説明図である。
【符号の説明】
【００３８】
１，５１，７１・・本体、２，５２，７２・・機構板、３・・前枠、４・・供給皿、５・・中扉、６・・貯留皿、７・・下側機能部、８・・表示装置、９・・遊技盤、１０，６０・・ミドル枠、１１・・タンク、１２・・球通路、１３・・払い出し装置、１４・・払い出し制御装置、１５・・主制御装置、１６・・カバー、２１，２２・・枢着部、２３・・前枠枢着部、２４・・孔、２５，６１・・バケツ部材、２６・・折り曲げ部、２７，６２・・平坦部、５３・・下側通路部材、５４・・下壁体、７３・・柱部材、７４・・ゴム、７５・・レバー、７６・・溝、７７・・水平部、７８・・垂直部、７９・・係止部、８０・・仮想平坦部、８１・・円柱状部、Ｇ１〜Ｇ８・・（重心の平坦部及び／又は仮想平坦部への）投影点。
【図１】
2004255211.tif 000003
【図２】
2004255211.tif 000004
【図３】
2004255211.tif 000005
【図４】
2004255211.tif 000006
【図５】
2004255211.tif 000007
【図６】
2004255211.tif 000008
【図７】
2004255211.tif 000009
【図８】
2004255211.tif 000010
【図９】
2004255211.tif 000011
【図１０】
2004255211.tif 000012
【図１１】
2004255211.tif 000013
【図１２】
2004255211.tif 000014
【図１３】
2004255211.tif 000015
【図１４】
2004255211.tif 000016